【手続補正書】
【提出日】平成17年7月22日(2005.7.22)
【手続補正１】
【補正対象書類名】明細書
【補正対象項目名】特許請求の範囲
【補正方法】変更
【補正の内容】
【特許請求の範囲】
【請求項１】  水平の行および垂直の列で配列され、二次元マトリックスを形成する複数のイメージ信号生成ピクセルを有し、各行および列がそれぞれ、それぞれの行および列アドレスを有する、アクティブピクセルイメージセンシング装置の入射する光学的放射への露光を制御するための制御システムであって、各水平行におけるピクセルが、第１の共通の水平リセットラインおよび第２の共通の水平セレクトラインに接続され、各垂直列におけるピクセルが、共通の垂直信号ラインに接続され、該制御システムが、
該水平リセットラインのそれぞれに接続され、該水平リセットラインの所定の１つのラインに接続された行のピクセルのイメージ信号をリセットする単一の行デコーダであって、該単一の行デコーダはまた、該水平セレクトラインのそれぞれに接続され、また該水平セレクトラインの所定の１つのラインを選択し、該選択されたセレクトラインに接続された行のピクセルからのイメージ信号が読み出されることを可能にする、単一の行デコーダと、
該垂直信号ラインのそれぞれに接続された水平アドレシング手段であって、該垂直信号ラインの所定のラインを選択し、該水平セレクトラインと該垂直信号ラインを介して同時に選択されたピクセルの信号を読み出す、水平アドレシング手段と、
該水平アドレシング手段と、該水平アドレシング手段と該単一の行デコーダとを制御する該単一の行デコーダとに接続された制御手段であって、該単一の行デコーダは、該水平リセットラインの第１のリセットラインを選択して、該水平リセットラインの該第１のリセットラインに接続された行のピクセルのイメージ信号をリセットし、その後、該水平セレクトラインの第２のセレクトラインに、該水平セレクトラインの該第２のセレクトラインに接続された行のピクセルのイメージ信号が読み出されることを可能する、制御手段と
を含み、
該水平セレクトラインの該第２のセレクトラインが該水平リセットラインの該第１のリセットラインから、所定の数の水平セレクトライン分だけ隔てられ、該水平アドレシング手段は、順序立ったシーケンスで、該所定の数の垂直信号ラインを選択して、該順序立ったシーケンスで、該イメージ信号を該水平セレクトラインの該第２のセレクトラインに接続された行のピクセルから読み出し、該順序立ったシーケンスで、該信号をピクセルから読み出すことは、該水平セレクトラインおよび該垂直信号ラインのうちの第２のラインを介して同時に選択され、該制御手段は、その後、該信号の行デコーダを制御して該水平リセットおよびセレクトラインの続く所定のラインを交互に選択し、かつ、該水平アドレシング手段を制御して、該水平の信号ラインの所定のラインを、該順序立ったシーケンスで選択し該選択された水平セレクトラインに接続された該続く行のピクセルから該イメージ信号を読み出すように動作し、該ピクセルから信号を、該順序立ったシーケンスで読み出すことは、該水平セレクトラインの該続く所定のラインおよび該垂直信号ラインの所定のラインの該続く所定のラインを介して同時に選択され、
該制御手段が
列および行アドレスならびに制御信号を生成する制御回路であって、該行デコーダおよび該水平アドレシング手段を制御する制御回路と、
２組のトライステートバッファ増幅器であって、該トライステートバッファ増幅器の組のそれぞれの入力が、該制御回路の出力に接続され、該制御回路からのリセットされるべき、または選択されるべき該水平ラインに対応する行アドレスおよび制御信号を受け取り、該トライステートバッファ増幅器の組のそれぞれの出力が、該行デコーダの入力に接続され、該行デコーダに該行アドレスおよび制御信号を伝達し、該トライステートバッファ増幅器の組のそれぞれは、該制御回路からの該制御信号の少なくとも１つに応答して、２つの低インピーダンス出力状態のうちの１つと高インピーダンス出力状態との間でスイッチングすることのできる、２組のトライステートバッファ増幅器と、
第１の行アドレスおよび第２の行アドレス、ならびに列アドレスおよびそれぞれの制御信号を生成し、該第１の行アドレスおよび該それぞれの制御信号の少なくとも１つを該トライステート増幅器の組の第１の増幅器に伝達し、該第２の行アドレスおよび該それぞれの制御信号の他の少なくとも１つを該トライステート増幅器の組の第２の増幅器に伝達する手段であって、該行デコーダが、該トライステートバッファ増幅器の組の第１の組の出力から該第１の行アドレスおよび該少なくとも１つのそれぞれの制御信号と、該トライステートバッファ増幅器の組の第２の組の出力から該第２の行アドレスおよび該少なくとも１つの他のそれぞれの制御信号とを交互に受け取る、手段と、
該２つのトライステート増幅器のうちの１つを交互に選択する手段であって、該選択された増幅器の出力は該デコーダによって受け取られる、手段と
を含む、制御システム。
【請求項２】  前記単一のデコーダにより選択される前記水平リセットラインおよび水平セレクトラインのそれぞれの続くラインが、該水平リセットラインのそれぞれの先行する選択されたラインおよび該水平セレクトラインのそれぞれの先行する選択されたラインに隣接する、請求項１に記載の制御システム。
【請求項３】  前記単一のデコーダにより選択される前記水平リセットラインおよび水平セレクトラインのそれぞれの続くラインが、該水平リセットラインおよび該水平セレクトラインの該先行する選択されたラインからそれぞれ少なくとも１行分、隔てられる、請求項１に記載の制御システム。
【請求項４】  前記制御手段により前記単一のデコーダに供給される行アドレスが、行開始アドレスおよび行停止アドレスを含み、該行開始アドレスおよび行終了アドレスの間に位置する行が垂直フレームを規定する、請求項１に記載の制御システム。
【請求項５】  前記水平リセットラインの所定の第１のラインに接続された行と、前記水平セレクトラインの所定の第２のラインに接続された前記間隔を隔てられた行との間に位置する行数が、前記フレーム内の行の数より少なく、シャッターの高さを規定する、請求項４に記載の制御システム。
【請求項６】  前記シャッターの高さが、前記水平アドレシング手段から前記制御手段により受け取られた前記ピクセルのイメージ信号に応答して、該制御手段により変更される、請求項５に記載の制御システム。
【請求項７】  前記イメージセンシング装置が、電流媒介アクティブピクセルイメージセンシング装置であり、該電流媒介アクティブピクセルイメージセンシング装置は、基準電流源と出力電流ミラーとを含む、請求項１に記載の制御システム。
【請求項８】  水平の行および垂直の列で配列され、二次元マトリックスを形成する複数のイメージ信号生成ピクセルを有し、各行および列がそれぞれ、それぞれの行および列アドレスを有する、アクティブピクセルイメージセンシング装置の、入射する光学的放射への露光を制御するための制御方法であって、行開始と行停止アドレスとの間の行が垂直フレームを規定し、各水平列におけるピクセルが第１の共通の水平リセットラインおよび第２の共通の水平セレクトラインに接続され、各垂直列におけるピクセルが、共通の垂直信号ラインに接続され、該方法が、
ａ）所定の第１の行のそれぞれの水平リセットラインを介して、単一のデコーダおよび制御手段によって該垂直フレーム内に位置する該所定の第１の行のピクセルのイメージ信号をリセットするステップであって、該制御手段は、２組のトリステートバッファ増幅器と、該２つのトリステート増幅器のうちの１つを交互に選択する手段とを含み、該選択さされた増幅器の出力が該デコーダによって受け取られる、ステップと、
ｂ）その後、該それぞれの水平セレクトラインを介して、該第１の行から隔てられ、該垂直フレーム内に位置する所定の第２の行を選択し、前記単一のデコーダおよび制御手段によって該所定の第２の行のピクセルからのイメージ信号が読み出されることを可能にするステップであって、該制御手段は、２組のトリステートバッファ増幅器と、該２つのトリステート増幅器のうちの１つを交互に選択する手段とを含み、該選択さされた増幅器の出力が該でコーダによって受け取られる、ステップと、
ｃ）所定の順番において列を順次選択し、該所定の第２の行および該選択された列において、同時に選択されたピクセルのイメージ信号を該所定の順番にて読み出すステップと、
ｄ）該所定の第１の行および該所定の第２の行に対して、新規所定の第１および第２の行アドレスを選択するステップと、
ｅ）該フレームのすべての行のピクセルのイメージ信号が読み出されるまでステップａ）からｄ）を少なくとも繰り返すステップと
を包含する方法。
【請求項９】  前記所定の第２の行アドレスと前記所定の第１の行アドレスとの間の行の数が前記フレームの行の数より少ない、請求項８に記載の方法。